(57)【要約】【課題】スケジュールを簡単に確認でき、かつ、スケジュールに関する処理を簡単に実行できる携帯端末装置及びスケジュール管理方法の提供。【解決手段】予め登録されているスケジュールの内、一定期時間内のスケジュールを順番にテロップ表示し、テロップ表示中の特定キーの操作によりテロップ動作を止め、選択されたスケジュールに対して詳細画面を表示する。また、スケジュールに登録したメンバーを電話帳データに予め関連付けて記憶し、詳細画面でメンバーを選択した場合にそのメンバーに対応するメールアドレスや電話番号を特定し、メールアドレスが予め表示されたメール送信画面や電話番号が予め表示された電話発信画面を表示する。また、スケジュールに登録した時刻から所定時間が経過したら、登録したメンバーに対応するメールアドレスを特定し、そのメンバーに予め設定した定型文メールを送信する。【選択図】図５
2007328710.tif 000002
【特許請求の範囲】
【請求項１】
ユーザのスケジュールを記憶部に登録するスケジュール機能を備える携帯端末装置において、
前記記憶部に予め登録されたスケジュールの内、所定期間内に実行する予定の１又は複数のスケジュールに関する情報の少なくとも一部を、表示部にテロップ表示させる制御部を少なくとも備えることを特徴とする携帯端末装置。
【請求項２】
前記制御部は、前記スケジュールに関する情報の中から選択される特定の情報を、該特定の情報に対応付けられたアイコンとして前記表示部に表示させることを特徴とする請求項１記載の携帯端末装置。
【請求項３】
前記制御部は、テロップ表示中に特定のキーが操作された場合に、テロップ表示の動作を停止させ、動作が停止したテロップに表示されているスケジュールの中から所定のスケジュールが選択された場合に、前記所定のスケジュールに関する全ての情報が記載されたスケジュール詳細画面を前記表示部に表示させることを特徴とする請求項１又は２に記載の携帯端末装置。
【請求項４】
前記記憶部には、スケジュールに登録されるメンバーが電話帳データに予め関連付けて記憶され、
前記制御部は、前記スケジュール詳細画面で所定のメンバーが選択された場合に、前記所定のメンバーに対応するメールアドレスを前記電話帳データから取り出し、該メールアドレスが予め表示されたメール送信画面を前記表示部に表示させることを特徴とする請求項３記載の携帯端末装置。
【請求項５】
前記記憶部には、スケジュールに登録されるメンバーが電話帳データに予め関連付けて記憶され、
前記制御部は、前記スケジュール詳細画面で所定のメンバーが選択された場合に、前記所定のメンバーに対応する電話番号を前記電話帳データから取り出し、該電話番号が予め表示された電話発信画面を前記表示部に表示させることを特徴とする請求項３記載の携帯端末装置。
【請求項６】
前記記憶部には、スケジュールに登録されるメンバーが電話帳データに予め関連付けて記憶され、
前記制御部は、所定のスケジュールに登録されている時刻から予め設定された時間が経過したら、前記所定のスケジュールに登録されているメンバーに対応するメールアドレスを前記電話帳データから取り出し、該メールアドレスに予め設定された定型文メールを送信することを特徴とする請求項１又は２に記載の携帯端末装置。
【請求項７】
ユーザのスケジュールを記憶部に登録するスケジュール機能を備える携帯端末装置におけるスケジュール管理方法であって、
前記記憶部に予め登録されたスケジュールの中から、所定期間内に実行する予定の１又は複数のスケジュールを選択する第１のステップと、
前記１又は複数のスケジュールに関する情報の少なくとも一部を、表示部にテロップ表示する第２のステップと、を少なくとも備えることを特徴とするスケジュール管理方法。
【請求項８】
前記第２のステップでは、前記スケジュールに関する情報の中から選択される特定の情報を、該特定の情報に対応付けられたアイコンとして前記表示部に表示することを特徴とする請求項７記載のスケジュール管理方法。
【請求項９】
更に、テロップ表示中に特定のキーが操作された場合に、テロップ表示の動作を停止させる第３のステップと、
動作が停止したテロップに表示されているスケジュールの中から所定のスケジュールが選択された場合に、前記所定のスケジュールに関する全ての情報が記載されたスケジュール詳細画面を前記表示部に表示する第４のステップと、を備えることを特徴とする請求項７又は８に記載のスケジュール管理方法。
【請求項１０】
前記記憶部に、スケジュールに登録されるメンバーを電話帳データに予め関連付けて記憶しておき、
前記第４のステップで表示される前記スケジュール詳細画面で所定のメンバーが選択された場合に、前記所定のメンバーに対応するメールアドレスを前記電話帳データから取り出し、該メールアドレスが予め表示されたメール送信画面を前記表示部に表示することを特徴とする請求項９記載のスケジュール管理方法。
【請求項１１】
前記記憶部に、スケジュールに登録されるメンバーを電話帳データに予め関連付けて記憶しておき、
前記第４のステップで表示される前記スケジュール詳細画面で所定のメンバーが選択された場合に、前記所定のメンバーに対応する電話番号を前記電話帳データから取り出し、該電話番号が予め表示された電話発信画面を前記表示部に表示することを特徴とする請求項９記載のスケジュール管理方法。
【請求項１２】
前記記憶部に、スケジュールに登録されるメンバーを電話帳データに予め関連付けて記憶しておき、
所定のスケジュールに登録されている時刻から予め設定された時間が経過したら、前記所定のスケジュールに登録されているメンバーに対応するメールアドレスを前記電話帳データから取り出し、該メールアドレスに予め設定された定型文メールを送信することを特徴とする請求項７又は８に記載のスケジュール管理方法。
【発明の詳細な説明】
【技術分野】
【０００１】
本発明は、携帯端末装置及びその制御方法に関し、特に、スケジュール機能を備える携帯端末装置及び該携帯電話機におけるスケジュール管理方法に関する。
【背景技術】
【０００２】
近年、携帯電話機などの携帯端末装置に内蔵されているスケジュール機能を使用するユーザは増えており、登録されているスケジュールの件数も増加している。これは携帯端末装置のメール機能の普及に伴い、メール連絡によってスケジュール等を組む状況が増えてきていることが背景の一つといえる。
【０００３】
このようなスケジュール機能に関して、例えば下記特許文献１には、受信したメールが予め決められたスケジュール書式のメールか否かを解析するメール解析処理部と、予め決められたスケジュール書式のメールに記載のスケジュールと既に登録されているスケジュールとを照合し、スケジュール登録部に登録するスケジュール管理処理部とを設け、メールとスケジュールの自動リンクを可能とすることによって、ユーザのスケジュール登録の煩わしさを解決する技術が開示されている。
【０００４】
【特許文献１】特開２００３−５８５１４号公報（第３−６頁、第１図）
【発明の開示】
【発明が解決しようとする課題】
【０００５】
しかしながら、特許文献１の技術においてスケジュールの詳細を確認する場合、まず登録されているスケジュールの一覧を表示させ、そこから詳細を確認したいスケジュールを選ばなければならず、登録されているスケジュール件数が多い場合や緊急に内容を確認したい場合に、スケジュールを簡単に確認することができないという問題があった。
【０００６】
また、予定されていたスケジュールに対してキャンセルや遅刻等が発生した場合など、早急に連絡を取りたい状況においても、スケジュールの内容と電話帳データとが関連づけられていないため、ユーザは電話帳データを確認した後にメール送信操作（メール宛先、タイトル、本文の入力）や電話発信操作をしなければならず、スケジュールに関する処理を簡単に実行することができないという問題があった。
【０００７】
本発明は、上記問題点に鑑みてなされたものであって、その主たる目的は、スケジュールを簡単に確認することができ、かつ、スケジュールに関する処理を簡単に実行することができる携帯端末装置及びスケジュール管理方法を提供することにある。
【課題を解決するための手段】
【０００８】
上記目的を達成するため、本発明は、ユーザのスケジュールを記憶部に登録するスケジュール機能を備える携帯端末装置において、前記記憶部に予め登録されたスケジュールの内、所定期間内に実行する予定の１又は複数のスケジュールに関する情報の少なくとも一部を、表示部にテロップ表示させる制御部を少なくとも備えるものである。
【０００９】
本発明においては、前記制御部は、前記スケジュールに関する情報の中から選択される特定の情報を、該特定の情報に対応付けられたアイコンとして前記表示部に表示させる構成とすることができる。
【００１０】
また、本発明においては、前記制御部は、テロップ表示中に特定のキーが操作された場合に、テロップ表示の動作を停止させ、動作が停止したテロップに表示されているスケジュールの中から所定のスケジュールが選択された場合に、前記所定のスケジュールに関する全ての情報が記載されたスケジュール詳細画面を前記表示部に表示させる構成とすることができる。
【００１１】
また、本発明においては、前記記憶部には、スケジュールに登録されるメンバーが電話帳データに予め関連付けて記憶され、前記制御部は、前記スケジュール詳細画面で所定のメンバーが選択された場合に、前記所定のメンバーに対応するメールアドレスを前記電話帳データから取り出し、該メールアドレスが予め表示されたメール送信画面を前記表示部に表示させる構成、又は、前記所定のメンバーに対応する電話番号を前記電話帳データから取り出し、該電話番号が予め表示された電話発信画面を前記表示部に表示させる構成とすることができる。
【００１２】
また、本発明においては、前記記憶部には、スケジュールに登録されるメンバーが電話帳データに予め関連付けて記憶され、前記制御部は、所定のスケジュールに登録されている時刻から予め設定された時間が経過したら、前記所定のスケジュールに登録されているメンバーに対応するメールアドレスを前記電話帳データから取り出し、該メールアドレスに予め設定された定型文メールを送信する構成とすることもできる。
【００１３】
また、本発明の方法は、ユーザのスケジュールを記憶部に登録するスケジュール機能を備える携帯端末装置におけるスケジュール管理方法であって、前記記憶部に予め登録されたスケジュールの中から、所定期間内に実行する予定の１又は複数のスケジュールを選択する第１のステップと、前記１又は複数のスケジュールに関する情報の少なくとも一部を、表示部にテロップ表示する第２のステップと、を少なくとも備えるものである。
【００１４】
本発明においては、前記第２のステップでは、前記スケジュールに関する情報の中から選択される特定の情報を、該特定の情報に対応付けられたアイコンとして前記表示部に表示する構成とすることができる。
【００１５】
また、本発明においては、更に、テロップ表示中に特定のキーが操作された場合に、テロップ表示の動作を停止させる第３のステップと、動作が停止したテロップに表示されているスケジュールの中から所定のスケジュールが選択された場合に、前記所定のスケジュールに関する全ての情報が記載されたスケジュール詳細画面を前記表示部に表示する第４のステップと、を備える構成とすることができる。
【００１６】
また、本発明においては、前記記憶部に、スケジュールに登録されるメンバーを電話帳データに予め関連付けて記憶しておき、前記第４のステップで表示される前記スケジュール詳細画面で所定のメンバーが選択された場合に、前記所定のメンバーに対応するメールアドレスを前記電話帳データから取り出し、該メールアドレスが予め表示されたメール送信画面を前記表示部に表示する構成、又は、前記所定のメンバーに対応する電話番号を前記電話帳データから取り出し、該電話番号が予め表示された電話発信画面を前記表示部に表示する構成とすることができる。
【００１７】
また、本発明においては、前記記憶部に、スケジュールに登録されるメンバーを電話帳データに予め関連付けて記憶しておき、所定のスケジュールに登録されている時刻から予め設定された時間が経過したら、前記所定のスケジュールに登録されているメンバーに対応するメールアドレスを前記電話帳データから取り出し、該メールアドレスに予め設定された定型文メールを送信する構成とすることもできる。
【００１８】
このように、本発明の携帯端末装置では、スケジュールを単に表示するのではなく、スケジュールをテロップ表示し、テロップ表示中に特定キーを押下することによりスケジュールの詳細な情報（場所、メンバー等）を表示するため、簡単にスケジュールを確認することができる。
【００１９】
また、スケジュールに登録されたメンバーが既存の電話帳データに予め関連付けて記憶されており、メンバーを選択すると、そのメンバーに対する電話発信画面やメール送信画面が表示され、また、スケジュールで予め設定した時間になると、登録されたメンバーに対して予め設定した定型文メールが自動的に送信されるため、電話番号やメールアドレスを入力したり選択することなく、メンバーへの連絡などのスケジュールに関する処理を簡単に実行することができる。
【発明の効果】
【００２０】
本発明の携帯端末装置及びスケジュール管理方法によれば、下記記載の効果を奏する。
【００２１】
本発明の第１の効果は、簡単な操作でスケジュールを確認することができるということである。その理由は、本発明の携帯端末装置の制御部では、予め登録されているスケジュールの内、所定期間内のスケジュールに関する情報の少なくとも一部を順番にテロップ表示し、テロップ表示中の特定キーの操作に対してテロップの動作を止め、選択されたスケジュールに対して詳細画面を表示する制御を行うからである。
【００２２】
また、本発明の第２の効果は、スケジュールに関する処理を簡単に実行することができるということである。その理由は、記憶部には、スケジュールに登録されたメンバーが既存の電話帳データに予め関連付けて記憶されており、制御部では、スケジュールの詳細画面でメンバーが選択されると、そのメンバーに対する電話発信画面やメール送信画面を表示し、また、スケジュールで予め設定した時間になると、登録されたメンバーに対して予め設定した定型文メールを自動的に送信する制御を行うため、メンバーへの連絡などを簡単に実行することができるからである。
【発明を実施するための最良の形態】
【００２３】
従来技術で示したように、携帯端末装置のスケジュール機能が広く利用されているが、従来のスケジュール機能では、登録されているスケジュールの一覧を表示させ、そこから詳細を確認したいスケジュールを選ばなければならないため、簡単にスケジュールを確認することができなかった。また、スケジュールの内容と電話帳データとが関連づけられていないため、スケジュールに関連する処理を簡単に実行することができなかった。
【００２４】
また、上記スケジュールの確認に際して、例えば、スケジュールの詳細を画面上に常時表示することもできるが、この方法ではスケジュールが目立たないために見落としやすく、スケジュールによって画面が占有されるために他の情報が表示しにくく、また、画面の見栄えが悪くなるなどの問題が生じる。特に、携帯電話機などの携帯端末装置のような表示画面が小さい機器では上記問題が顕著に現れる。
【００２５】
そこで、本発明では、単にスケジュールを表示するのではなく、予め登録されているスケジュールの内、ある一定期時間内のスケジュールに関する情報の少なくとも一部を順番にテロップ表示し、テロップ表示中の特定キーの操作に対してテロップの動作を止め、選択されたスケジュールに対して詳細画面を表示するようにする。これにより、スケジュールを効果的に表示しつつ、スケジュールの内容を簡単に確認することができる。また、スケジュールに登録されたメンバーを既存の電話帳データに予め関連付けて記憶し、詳細画面でメンバーを選択した場合に、そのメンバーに対応するメールアドレスや電話番号を特定して、メールアドレスが予め表示されたメール送信画面や電話番号が予め表示された電話発信画面を表示するようにし、また、スケジュールで予め設定した時間になったら、登録したメンバーに対して予め設定した定型文メールを自動的に送信するようにする。これにより、スケジュールに変更が生じた場合などにそのメンバーに迅速にメール送信や電話発信ができるようになり、スケジュールに関する処理を簡単に実行することができる。
【実施例１】
【００２６】
上記した本発明の実施の形態についてさらに詳細に説明すべく、本発明の第１の実施例に係る携帯端末装置及びスケジュール管理方法について、図１乃至図７を参照して説明する。図１は、本実施例の携帯端末装置の構成を模式的に示すブロック図である。また、図２は、スケジュールの登録及びテロップ表示の手順を示すフローチャート図であり、図３は、スケジュールの詳細表示の手順を示すフローチャート図である。また、図４は、スケジュールの登録画面の構成例を示す図であり、図５は、スケジュールのテロップ表示画面から詳細画面への遷移を示す図である。また、図６は、メール送信又は電話発信の手順を示すフローチャート図であり、図７は、スケジュールの詳細画面からメール送信及び電話発信画面への遷移を示す図である。
【００２７】
図１に示すように、本実施例の携帯端末装置は、アンテナ１−１、無線部１−２、ＣＰＵ（Central Processing Unit）などで構成される制御部１−３、方向キーや数字キー、特殊キーなどで構成されるキー操作部１−４、液晶表示装置や有機ＥＬ（Electroluminescence）表示装置などで構成される表示部１−５、ＲＡＭ（Random Access Memory）などで構成されるメモリ１−６、音声コーデック部１−７、マイク１−８、スピーカ１−９、時計部１−１０などを備えている。
【００２８】
携帯端末装置は、制御部１−３の制御により、無線部１−２、アンテナ１−１を介して基地局と通信を行う。無線部１−２はアンテナ１−１にて信号を受信し、信号周波数を選択し周波数変換を行い、これを増幅、復調して受信データを制御部１−３に出力する。制御部１−３は受信データを処理して音声信号を音声コーデック部１−７に出力し、音声コーデック部１−７は音声信号をアナログ信号に変換し、スピーカ１−９は音声を出力する。
【００２９】
また、マイク１−８により入力された音声は、音声コーデック部１−７にてＰＣＭ信号にＡ／Ｄ変換され、制御部１−３がその信号を送信データに処理し、無線部１−２が送信データを変調し、規定の周波数の搬送波として増幅し、アンテナ１−１から送信される。
【００３０】
また、制御部１−３は、メモリ１−６への情報書き込み・読み出し、表示部１−５の表示制御、キー操作部１−４の操作検出処理などを行う。
【００３１】
具体的には、ユーザがキー操作部１−４を用いてスケジュールに関する情報（以下、スケジュールデータと呼ぶ。）の登録を行うと、登録されたスケジュールデータは制御部１−３により、メモリ１−６へ書き込まれる。
【００３２】
また、制御部１−３は、時計部１−１０で計時される現在の日時情報とスケジュールデータ中の日時情報とを比較し、メモリ１−６から所定のスケジュールデータ（例えば、２４時間以内のスケジュールデータ）を読み出し、表示部１−５にテロップ表示を行う。このテロップ表示とは、情報を一定方向に流れるように表示する手法であり、一定の時間間隔で位置をずらして表示することにより実現することができる。
【００３３】
なお、図１は、本実施例の携帯端末装置の基本構成であり、他にデジタルカメラ機能やＴＶ電話機能、ＴＶ放送受信機能、非接触ＩＣカード機能などの他の機能を実現するための手段を備えていてもよい。また、表示部１−５を複数備える構成としてもよく、その場合にいずれか一つの表示部にテロップ表示を行ってもよいし、複数の表示部にテロップ表示を行ってもよいし、例えば背面の小さい表示部にスケジュールをテロップ表示し、内側の大きい表示部にスケジュールを詳細表示するなど、テロップ表示とスケジュールの詳細表示とを異なる表示部で行ってもよい。
【００３４】
次に、本発明におけるスケジュールの登録からスケジュールのテロップ表示までの動作について図２を用いて説明する。
【００３５】
ユーザがスケジュールデータの登録を行う場合、キー操作部１−４によりスケジュール登録画面の表示を行うと（Ｓ２−１）、表示部１−５には、例えば、図４に示すような、予め設定されたフォーマットのスケジュール登録画面が表示され、ユーザはそのフォーマットに従いスケジュールデータの登録を行う（Ｓ２−２）。
【００３６】
このスケジュール登録画面の中には場所やメンバーを登録する欄があり、その欄を選択すると、制御部１−３はメモリ１−６にアクセスして、予め電話帳データに登録されている情報があるか否かを判断し（Ｓ２−３）、電話帳データに登録されている情報がある場合はその情報を表示し、ユーザは表示された情報の中から所望の場所やメンバーを選択する（Ｓ２−４）。
【００３７】
例えば、図４に示すように、場所の欄を選択した場合に、電話帳データの中にレストランなどの場所情報が登録されていれば、登録されている場所情報の一覧を表示し、ユーザがその中から所望の場所情報を選択すると、場所の欄に選択した場所情報（ここでは”レストランＡＢＣ”）が表示される。同様に、メンバーの欄を選択した場合に、電話帳データの中に人物情報が登録されていれば、登録されている人物情報の一覧を表示し、ユーザがその中から所望の人物情報を選択すると、メンバーの欄に選択した人物情報（ここでは”公平くん”、”智子ちゃん”、”龍二くん”）が表示される。
【００３８】
また、場所やメンバーの登録において既存の電話帳データに選択すべき情報がなかった場合は、キー操作部１−４を操作（例えば、予め定められたキーを押下）して制御部１−３に通知し、制御部１−３はその通知を受けて表示部１−５に電話帳登録画面を表示する。そして、ユーザは電話帳登録画面で場所やメンバーの登録を行い、メンバー登録の場合は名前だけでなく連絡先（電話番号、メールアドレス等）の登録を行う（Ｓ２−６）。登録後、制御部１−３は表示部１−５にスケジュール登録画面を表示し、場所やメンバーの欄に新たに登録した情報を表示する。なお、ここでは電話帳データに選択すべき情報がなかった場合に電話帳登録画面を表示する構成としたが、スケジュール登録画面で直接、場所やメンバーを入力する構成としてもよい。
【００３９】
そして、スケジュール登録画面のすべての欄の入力が完了する（又は予め設けられた登録ボタンや決定ボタンなどを操作する）と、入力したスケジュールが登録され（Ｓ２−５）、制御部１−３は入力した情報をメモリ１−６に保存する。これにより、スケジュールデータの場所やメンバーが電話帳データに関連付けて登録される。
【００４０】
次に、ユーザがキー操作部１−４によりスケジュールデータのテロップ表示設定画面の表示を行うと、表示部１−５にはテロップ表示を行うか否かの選択画面が表示され、ユーザはキー操作部１−４によりテロップ表示の有無設定を行う（Ｓ２−７）。なお、ここではスケジュールデータを登録した後、テロップ表示設定画面でテロップ表示を行うか否かを選択する構成としたが、スケジュール登録画面にテロップ表示を行うか否かを選択する欄を設けてもよい。
【００４１】
そして、テロップ表示が設定された場合は、制御部１−３はキー押下検出から所定時間内（例えば、２４時間以内）のスケジュールデータをメモリ１−６より取り出し、表示部１−５に選択されたスケジュールデータの少なくとも一部をテロップ表示する（Ｓ２−８）。例えば、図５（ａ）に示すように、待ち受け画面の所定の位置（アイコンや壁紙の視認性に影響のない位置）において、所定の方向（通常は画面の左方向）に向かってスケジュールデータの少なくとも一部（例えば、開始時間と内容など）を流れるように表示する。なお、テロップ表示は図５（ａ）の構成に限定されず、画面の上部に表示したり、画面の上下方向に流れるように表示したり、スケジュールデータを点滅させて表示するなど、適宜設定することができる。
【００４２】
その後、制御部１−３は時計部１−１０から現在の時刻を取得してスケジュールデータに登録された時刻になったか否かを判断し（Ｓ２−９）、登録された時刻になったら、表示部１−５にそのスケジュールの詳細を表示したり、スピーカ１−９からアラーム音を鳴動させるなどして、スケジュールが到来したことをユーザに報知する（Ｓ２−１０）。
【００４３】
次に、ユーザがテロップ表示画面からスケジュールの詳細を確認する場合の動作について図３を用いて説明する。
【００４４】
ユーザは詳細を確認したいスケジュールのテロップ表示中に、キー操作部１−４の特定キーを押下すると（Ｓ３−１）、制御部１−３はテロップが流れている状態を停止させる（Ｓ３−２）。なお、この特定キーはキー操作部１−４の中から任意に選択することができ、携帯端末装置の他の操作と混同しないキーとすることが好ましい。
【００４５】
ユーザは停止したテロップ表示中の確認したいスケジュール部分をキー操作部１−４より選択すると（Ｓ３−３）、制御部１−３は選択されたスケジュールデータをメモリ１−６から取り出し、表示部１−５に表示する（Ｓ３−４）。上記動作における表示部１−５の表示画面は、例えば、図５に示すようになり、図５（ａ）のテロップ表示画面で確認したいスケジュール部分（ここでは内容を示す部分）を選択すると、図５（ｂ）に示すようなスケジュール詳細画面が表示され、ユーザはその画面によってスケジュールの詳細を確認することができる。
【００４６】
次に、ユーザがスケジュールの詳細画面から登録メンバーへ連絡（メール、電話）をとる場合の動作について図６を用いて説明する。
【００４７】
ユーザは表示部１−５に表示されているスケジュール詳細画面（図７（ａ）参照）から連絡を取りたいメンバー部分をキー操作部１−４より選択すると（Ｓ６−１）、制御部１−３は、表示部１−５に連絡手段の選択（メールか電話）画面を表示させる。
【００４８】
そして、ユーザがキー操作部１−４より連絡手段としてメールを選択すると（Ｓ６−２のメール）、制御部１−３はメモリ１−６より予め登録された定型文メールを取り出し、表示部１−５にメールタイトル一覧を表示する（Ｓ６−３）。ユーザは使用する定型文メールをキー操作部１−４より選択すると（Ｓ６−４）、制御部１−３はメモリ１−６よりメンバーに関連づけて登録されている電話帳データのメールアドレスを取り出し、図７（ｂ）に示すようなメール送信画面を表示し（Ｓ６−５）、必要に応じてユーザがタイトルや内容を修正した後、キー操作部１−４よりメール送信操作を行うと、制御部１−３はメンバーに対応するメールアドレスに対して、選択された定型文メールを送信する（Ｓ６−６）。なお、定型文メールとしては、キャンセル用メールや遅刻用メール等が予めメモリ１−６に登録されているものとする。
【００４９】
一方、ユーザがキー操作部１−４より連絡手段として電話発信を選択すると（Ｓ６−２の電話）、制御部１−３はメモリ１−６よりメンバーに関連づけて登録されている電話帳データの電話番号を取り出し、図７（ｃ）に示すような、発信先の電話番号が入力済みの電話発信画面を表示部１−５に表示し（Ｓ６−７）、ユーザがキー操作部１−４より発信操作を行うと、制御部１−３はメンバーに対応する電話番号に対して、電話発信を行う（Ｓ６−８）。
【００５０】
このように、制御部１−３は登録したスケジュールの内、所定期間内のスケジュールに関する情報の少なくとも一部を待ち受け画面などでテロップ表示し、テロップ表示中に特定キーを操作するとテロップ表示を止め、表示されているスケジュールの中からユーザが所望のスケジュールを選択すると、そのスケジュールに対応するスケジュール詳細画面を表示部１−５に表示する制御を行うため、ユーザは簡単にスケジュールを確認することができる。また、スケジュール詳細画面でユーザがメンバーを選択すると、制御部１−３は電話帳データからメンバーに対応するメールアドレスや電話番号を取り出し、メールアドレスが予め表示されたメール送信画面や電話番号が予め表示された電話発信画面を表示部１−５に表示する制御を行うため、メール送信や電話発信などのスケジュールに関する処理を簡単に実行することができる。
【実施例２】
【００５１】
次に、本発明の第２の実施例に係る携帯端末装置及びスケジュール管理方法について、図８を参照して説明する。図８は、スケジュール登録画面からテロップ表示画面への遷移を示す図である。
【００５２】
前記した第１の実施例では、スケジュールのテロップ表示内容として、図４のスケジュール登録画面における開始時間や終了時間、内容など（図では開始時間と内容）としたが、待ち受け画面にスケジュールの内容が表示されると、他人にスケジュールを見られてしまう恐れがあり、また、待ち受け画面に多くの情報がテロップ表示されると画面の見栄えが悪くなってしまう。
【００５３】
そこで本実施例では、図８（ｂ）に示すように、スケジュール登録画面でスケジュールを登録する際に、登録内容にアイコン表記を追加し、表示モードの選択（タイトル表示／アイコン表示）を可能とする。そして、アイコン表示を選択した場合は、図８（ａ）に示すように、スケジュールデータの特定の情報（スケジュールデータの中から任意に選択される１又は複数の情報）に代えてアイコンを表示（ここでは内容に代えてアイコンを表示）する。
【００５４】
これにより、ユーザ本人にしか分からないようにスケジュールを表示して、他人にスケジュールを知られないようにすることができると共に、デザイン性を向上させて画面の見栄えをよくすることができる。
【実施例３】
【００５５】
次に、本発明の第３の実施例に係る携帯端末装置及びスケジュール管理方法について、図９を参照して説明する。図９は、テロップ表示モードの設定手順を示すフローチャート図である。
【００５６】
前記した第１の実施例では、テロップで表示されるスケジュールをテロップ表示ＯＮの設定タイミングから２４時間以内のスケジュールとしたが、テロップ表示のモードをいくつか選択可能とすることもできる。
【００５７】
その場合は、図９に示すように、テロップ表示をするか否かの選択後（Ｓ９−１）、テロップ表示をする場合は、制御部１−３は表示部１−５に表示モードの選択画面を表示させ（Ｓ９−２）、そこで選択された表示モード（例えば、２４時間、２ＤＡＹ、１ＷＥＥＫ、マーキングされたもののみなど）に従って、制御部１−３はメモリ１−６よりスケジュールデータを取り出してテロップ表示を行う（Ｓ９−３）。
【００５８】
これにより、ユーザに合わせたスケジュール管理が可能になり、ユーザの利便性を向上させることができる。
【実施例４】
【００５９】
次に、本発明の第４の実施例に係る携帯端末装置及びスケジュール管理方法について、図１０を参照して説明する。図１０は、スケジュール登録画面の構成例を示す図である。
【００６０】
前記した第１の実施例では、スケジュール詳細画面でメンバーを選択してメールアドレス表示済みのメール送信画面や電話番号表示済みの電話発信画面を表示させてメール送信や電話発信を行ったが、この構成ではメールアドレスや電話番号の入力の手間を省くことはできるが、メール送信や電話発信のためには操作が必要であり、例えば、会議中など携帯端末装置を操作することができない場合には不便である。
【００６１】
そこで、本実施例では、スケジュールに登録されている開始時刻からある一定の時刻を過ぎた場合において、自動で相手先に遅刻メールやキャンセルメールを送信可能とする。
【００６２】
具体的には、図１０に示すように、スケジュール登録画面に自動送信設定時間や自動送信メール欄などを設け、ユーザはスケジュール登録画面において、開始時間からメールを自動送信するまでの時間（自動送信設定時間）を設定すると共に、自動送信する定型文メールの設定を行う。
【００６３】
そして、制御部１−３はスケジュールで登録されている開始時間からユーザが設定した自動送信設定時間を経過した場合、メモリ１−６よりスケジュールデータに登録されているメンバーに対応するメールアドレスを取り出し、ユーザが設定した定型文メール（遅刻メール、キャンセルメール等）を自動送信する。例えば、自動送信設定時間を１５分に設定し、定型文メールをキャンセルメールに設定した場合は、開始時間が２０：００であれば、２０：１５にキャンセルメールが自動的に送信される。
【００６４】
このように、スケジュール登録画面で予めメールを自動的に送信するように設定しておくことにより、ユーザが携帯端末装置を操作できない場合であっても、予め設定したメールが所定のメンバーに送信されるため、スケジュールの変更などに対して確実に対応することができる。
【００６５】
なお、上記各実施例では、本発明を携帯電話機などの携帯端末装置に適用する場合を示したが、本発明は上記実施例に限定されるものではなく、ＰＤＡ（Personal Digital Assistants）やパーソナルコンピュータなどのスケジュール機能を備えた任意の機器に対して同様に適用することができる。
【産業上の利用可能性】
【００６６】
本発明はスケジュール機能を備える任意の機器に利用可能である。
【図面の簡単な説明】
【００６７】
【図１】本発明の第１の実施例に係る携帯端末装置の構成を模式的に示すブロック図である。
【図２】本発明の第１の実施例に係る携帯端末装置を用いたスケジュールの登録及びテロップ表示の手順を示すフローチャート図である。
【図３】本発明の第１の実施例に係る携帯端末装置を用いたスケジュールの詳細表示の手順を示すフローチャート図である。
【図４】本発明の第１の実施例に係る携帯端末装置のスケジュール登録画面の構成例を示す図である。
【図５】本発明の第１の実施例に係る携帯端末装置のテロップ表示画面からスケジュール詳細画面への遷移を示す図である。
【図６】本発明の第１の実施例に係る携帯端末装置を用いたメール送信、電話発信の手順を示すフローチャート図である。
【図７】本発明の第１の実施例に係る携帯端末装置のスケジュール詳細画面からメール送信画面又は電話発信画面への遷移を示す図である。
【図８】本発明の第２の実施例に係る携帯端末装置のスケジュール登録画面からテロップ表示画面への遷移を示す図である。
【図９】本発明の第３の実施例に係る携帯端末装置を用いたテロップ表示モードの設定手順を示すフローチャート図である。
【図１０】本発明の第４の実施例に係る携帯端末装置のスケジュール登録画面の構成例を示す図である。
【符号の説明】
【００６８】
１−１  アンテナ
１−２  無線部
１−３  制御部
１−４  キー操作部
１−５  表示部
１−６  メモリ
１−７  音声コーデック部
１−８  マイク
１−９  スピーカ
１−１０  時計部
【図１】
2007328710.tif 000003
【図２】
2007328710.tif 000004
【図３】
2007328710.tif 000005
【図４】
2007328710.tif 000006
【図５】
2007328710.tif 000007
【図６】
2007328710.tif 000008
【図７】
2007328710.tif 000009
【図８】
2007328710.tif 000010
【図９】
2007328710.tif 000011
【図１０】
2007328710.tif 000012